(57)【要約】【課題】  係止爪片と爪係合部との組み合わせによりパーツを取付ける際に、簡単な加工で、正確な位置に係止爪片を被接合面に配置することを可能にする部材、及びこの部材を用いてパーツを被接合面に簡単に取付ける方法の提供。【解決手段】  複数の係止爪片１０が予め定められた位置に、切断除去可能な連結保持部材２０にて保持されているパーツ取付け用係止爪部材、及びこの係止爪部材を被接合面に複数の係止爪片１０が仮配置されるように重ね合わせ、次いで各係止爪片１０のみを被接合面の定位置にそれぞれ個別に固着した後、連結保持部材２０を切断除去して、被接合面に複数の係止爪片１０のみを固着して配置し、次いでこの係止爪片１０と爪係合部とを嵌合するパーツの被接合面への取付け方法。【選択図】  図１
2018044618.tif 000002
【特許請求の範囲】
【請求項１】
複数の係止爪片が予め定められたそれぞれの定位置に、切断除去可能な連結保持部材にて保持されているパーツ取付け用係止爪部材。
【請求項２】
連結保持部材に位置決めピンが設けられていることを特徴とする請求項１に記載の係止爪部材。
【請求項３】
合成樹脂一体成形品で構成されていることを特徴とする請求項１又は２に記載の係止爪部材。
【請求項４】
複数の係止爪片を被接合面に配置した被取付け部材に、複数の爪係合部が配置された接合面を有するパーツを取付ける方法であって、複数の係止爪片が予め定められたそれぞれの定位置に、切断除去可能な連結保持部材にて保持されているパーツ取付け用係止爪部材を、被接合面に複数の係止爪片が仮配置されるように複数の係止爪片が仮配置されるように重ね合わせ、次いで各係止爪片のみを被接合面の定位置にそれぞれ個別に固着した後、連結保持部材を切断除去して、被接合面に複数の係止爪片のみを固着して配置し、次いで該係止爪片と爪係合部とを嵌合することを特徴とするパーツの被取付け部材への取付け方法。
【発明の詳細な説明】
【技術分野】
【０００１】
本発明は、車両のカスタマイズ化などに際して、パーツを取り替えたり新設したりする場合のパーツの取付け方法に関し、特に、この方法に用いられるパーツの取付け用係止爪の構造及びこの係止爪を用いたパーツの取付け方法に関する。
【背景技術】
【０００２】
車両のユーザーにおいては、内装パーツや装飾パーツを改造したり、カスタマイズパーツに取り替えたりして、標準仕様の車両を好みに合うようにカスタマイズすることが行われている。その場合、カスタマイズパーツである後付けパーツを取付けるに際して、標準パーツの既存の取付け手段がそのまま転用できるとは限らず、改造するか新たな取付け手段を付与する必要がある場合が多い。
【０００３】
パーツを被取付け部材に取付けたり、複数のパーツを接合したりするのに、先端がフック形状の係止爪片と係止穴（爪係合部）との組み合わせによる方法が従来から行われている。例えば特許文献１には、車両のルームランプカバーに係止穴を、レンズに係止爪片（係止フック）を設けて、係止爪片を係止穴に差し込むことでレンズをランプカバーに取付けることが示されており、また特許文献２には、シフトレバーブーツの取付けに際して、ブーツ取付け用のリテーナとブーツ取付け用フランジとの接合を係止爪片と係止穴の組み合わせにより行っている。これらの方法では、係止爪片を弾性変形可能な材料で構成し、係止穴（爪係合部）は基材に開口部や切り欠き部を設けて、係止爪片の係止穴（爪係合部）への挿入時には、係止爪片を弾性変形させ、挿入後は変形を回復させることで、係止爪片先端のフック部を係止穴（爪係合部）に嵌合させ、両者を接合させている。
【０００４】
そして、このパーツの取付け方法では、係止爪片と爪係合部とをいずれの側に設けても取付けることができるが、カスタマイズパーツのように後付けでパーツを取付ける場合には、前記したように既存の取付け手段をそのままでは転用できない場合が多く、新たに係止爪片と爪係合部を付与する必要が発生する。この場合、後付けパーツ側に係止爪片を設けた場合には、被取付け部材となる内装部材や既設の機器部材の被接合面に、穴状や凹部形状の爪係合部を設ける必要があるため、爪係合部を設置するために被接合面を開口したり、切り欠いたりする加工を行う必要があり、その場合、他の個所を傷つけることなく、かつ正確な位置に加工する必要があり、手間と時間を要する。
【０００５】
一方、パーツを取付けるための爪係合部をパーツ自体に設ける場合には、パーツを成形加工する際に、同時にこれらも一緒に加工するができるため、上記したような問題は発生しない。そのため、爪係合部をパーツ側に設け、被取付け部材側に係止爪片を取付ける場合では、被取付け部材の被接合面を開口したり、切り欠きたりする加工作業が必要なく、成形加工した係止爪片を取付ける作業だけでよいため、前記のトラブルを避けることができる。しかしながら、パーツをしっかりと正確に固定する必要から、係止爪片は複数個必要であり、それぞれの係止爪片の位置決めは正確に行う必要があり、内装部材や既設の機器部材への係止爪の設置作業は必ずしも容易ではなかった。
【先行技術文献】
【特許文献】
【０００６】
【特許文献１】特開２００１−２１３２３３号公報
【特許文献２】特開２００３−１０４０８１号公報
【発明の概要】
【発明が解決しようとする課題】
【０００７】
本発明では、車両のカスタマイズ化などにおいて、係止爪片と爪係合部との組み合わせによりパーツを取り付ける際に、簡単な加工で、正確な位置に係止爪片を被接合面に配置することを可能にする部材、及びこの部材を用いてパーツを被接合面に簡単に取付ける方法を提供しようとするものである。
【課題を解決するための手段】
【０００８】
本発明のパーツ取付け用係止爪部材は、複数の係止爪片が予め定められたそれぞれの定位置に、切断除去可能な連結保持部材にて保持されている部材であり、さらに、連結保持部材に位置決めピンが設けられていることが好ましく、また、これらの係止用爪部材は合成樹脂一体成形品で構成されていることが好ましい。
【０００９】
さらに本発明では、複数の係止爪片を被接合面に配置した被取付け部材に、複数の爪係合部が配置された接合面を有するパーツを取付ける方法であって、前記した係止爪部材を被接合面に複数の係止爪片が仮配置されるように重ね合わせ、次いで各係止爪片のみを被接合面の定位置にそれぞれ個別に固着した後、連結保持部材を切断除去して、被接合面に複数の係止爪片のみを固着して配置し、次いで該係止爪片を爪係合部に嵌合することを特徴とするパーツの被取付け部材への取付け方法も提案される。
【００１０】
上記の係止爪部材において、連結保持部材により定位置に保持されている係止爪片は、被接合面に定位置に固着されて配置され、爪係合部への挿入は、係止爪片が弾性変形されることにより可能となり、挿入後は変形が回復することで、係止爪片先端のフック部が爪係合部に嵌合し、この両者が接合することで、パーツの取付けが行われるものである。しかし、この接合時に必要な弾性変形時の変形量(歪量)は小さいため、一般に弾性体と称される大きな弾性変形が可能な材料である必要はなく、通常のパーツの構成材料として使用される合成樹脂材料、金属材料を用いることができ、これらの材料の弾性変形範囲の変形量で、十分挿入可能であり、かつ挿入後に直ちに変形が回復し、係止爪片と爪係合部の両者を嵌合させて、パーツを被接合面に取付けることができる。
【００１１】
そのため、係止爪部材は合成樹脂材料で構成し、係止爪片と連結保持部材とを一体成形して、一体成形品とすることが好ましく、さらに位置決めピンも同様に一体成形品とすることも好ましい。一体成形品を構成する合成樹脂としては各種の熱可塑性樹脂や熱硬化性樹脂を用いることができ、これらの合成樹脂を用いて周知の成形方法により一体成形することができる。
【発明の効果】
【００１２】
パーツの取付けに際して、本発明の係止爪部材を用いることにより、簡単作業でパーツの被接合面に複数の係止爪片をそれぞれ正確な位置に取付けることができ、さらに、パーツの取付け作業も簡単にすることができる。すなわち、この係止爪部材では、各係止爪片は予め定められたそれぞれの定位置に、切断除去可能な連結保持部材にて保持されているため、この係止爪部材を被接合面に重ね合わせることで、各係止爪片を正確な位置に仮置きでき、次いで各係止爪片のみを被接合面の定位置にそれぞれ個別に固着することができる。各係止爪片の固着後、連結保持部材を切断除去することで、被接合面に固着した複数の係止爪片のみを簡単に配置することができる。この配置された係止爪片は正確な定位置に固着して配置されており、パーツの接合面に配置された爪結合部に挿入し、嵌合させるという作業が容易にでき、パーツを容易に取り付けることができる。
【００１３】
また、係止爪部材の連結保持部材に位置決めピンを設けることにより、各係止爪の位置決めがより正確に、かつ簡易な作業で行うことができる。さらには、係止爪部材を合成樹脂で構成することにより、連結保持部材の切断除去がニッパーやカッターなどの簡易な工具によりことができ、また、係止爪片と爪係合部との嵌合もスムーズにできる。
【図面の簡単な説明】
【００１４】
【図１】パーツ取付け用係止爪部材の実施例の上面図及び側面図である。
【図２】カスタマイズパーツとしてのシフトブーツ付シフトノブを取付けている説明図である。
【図３】爪係合部が設けられたシフトブーツの底面パネルの説明図である。
【図４】係止用爪部材を用いてシフトゲートベースに係止爪片を固着して配置した上面説明図である。
【図５】図４の一部断面側面説明図である。
【発明を実施するための形態】
【００１５】
以下、本発明の詳細につき図面を基に説明する。
【００１６】
図１は本発明のパーツ取付け用係止爪部材の上面図及び側面図を示す。ここで示した係止爪部材は、標準のシフトノブをシフトブーツ付にカスタマイズ化するパーツの取付けに応用した実施例であり、図２はカスタマイズパーツとしてのシフトブーツを取付けている説明図である。
【００１７】
図１に示す係止爪部材においては、４個の係止爪片１０は連結保持部材２０により予め定められた位置に連結保持されており、さらに連結保持部材２０には５個の位置決めピン２１が設けられている。係止爪片１０はフック部１１と爪片基部１２と爪固定部１３とから構成されており、フック部１１は後述する図３に示される爪係合部３０の係合舌部３２に嵌合される。爪固定部１３は、各係止爪片１０を正確な位置に仮置きした後、各係止爪片１０のみを被接合面の定位置にそれぞれ個別に固着するために設けられており、ネジ止めにより固着する。各係止爪片１０を、爪固定部１３を利用して被接合面に固着後、連結保持部材２０は位置決めピン２１と共に切断除去される。
【００１８】
図２はシフトブーツ４２付のシフトノブ４１を、カスタマイズパーツとして、標準パーツに替えて取付けている説明図である。上図は標準のシフトノブを取り外したシフトレバー４３に、シフトブーツ４２が取付けられたシフトノブ４１を取付けようとしている説明図であり、シフトノブ４１はシフトレバー４３の先端にネジを利用して取付けられ、シフトブーツ４２は、その裾部に取付けられたブーツ底面パネル４０をシフトゲートベース５０に接合することで取り付けられる。下図はこのカスタマイズパーツの取付け後のシフト装置を示し、取り付けられたシフトブーツ４２により、シフトポジション表示部５２を除き、シフトレバー４３の移動経路となるシフトゲート５１を含むシフトゲートベース５０全体が覆われている。
【００１９】
上記のようにシフト装置において、カスタマイズパーツであるシフトノブ４１に取付けられたシフトブーツ４２を取付けるのに、本発明の係止爪部材を用いる方法を、以下図３〜５に基づき詳細に説明する。
【００２０】
図３はシフトノブ４１に取付けられたシフトブーツ４２に取付けられた底面パネル４０を底面側から見た平面図と底面パネル４０に設けられた爪係合部３０の拡大側面説明図である。平面パネル４０はシフトブーツ４２の裾部に取付けられており、その平面形状は図４に示すシフトゲートベース５０と同形状の外周とシフトゲート５１を包含する形状の開口部となっており、開口部の周縁部４個所に爪係合部３０が設置されている。シフトノブ４１に取付けられたシフトブーツ４２の裾部は、ブーツ固定ネジ４４により底面パネル４０に固定されている。
【００２１】
底面パネル４０の開口部の周縁部４個所に設置された爪係合部３０は、底面パネル４０の成形時に同時に成形され、拡大側面図に示すように、爪挿入ガイド３１と係合舌部３２が設けられている。図１に示した係止爪片１０は爪挿入ガイド３１に沿って、爪係合部３０に挿入され、係止爪片１０の頭部を形成するフック部１１が係合舌部３２と嵌合されることにより、係止爪片１０と爪係合部３０とが嵌合される。
【００２２】
図４は、図１で示した係止爪部材を使用して、底面パネル４０が接合されるシフトガイドベース５０の被接合面に４個の係止爪片１０が固着配置された状態を示している。このように係止爪片１０を固着配置するには、まずシフトガイドベース５０の被接合面に図１で示した係止爪部材を重ね合わせる。この時、係止爪片１０を正確な位置に配置するために、連結保持部材２０に設けた位置決めピン２１を利用して、開口部であるシフトゲート５１において点線で示す位置合わせコーナー２２に位置決めピン２１を配置して、係止爪片１０を正確な位置に仮置きする。次いで、各係止爪片１０のみを被接合面の定位置に固定するために、爪固定部１３をネジ止めし固着し、その後、ニッパ・カッターなどの切断工具を用いて、連結保持部材２０を位置決めピン２１と共に切断除去することにより、図４に示すようにシフトゲートベース５０の被接合面に４個の係止爪片１０のみを固着配置する。図５は、係止爪片１０のみを配置したシフトゲートベース５０一部断面側面図である。この場合、各係止爪片１０の固着はネジ止めにより行ったが、固着方法には特に限定されず、接着剤を用いてもよい。
【００２３】
図４、５に示されるシフトゲートベース５０の接合面に配置された各係止爪片１０を、図３に示される底面パネル４０において、それぞれ対応する位置に配置された各爪係合部３０に挿入、嵌合して、各係止爪片１０と各爪係合部３０とを嵌合させることにより、シフトゲートベース５０に底面パネル４０を接合することができ、シフト装置にカスタマイズパーツであるシフトブーツ４２が取付けられたシフトノブ４１を正確な位置に取付けることができる。
【００２４】
以上のように、後付けパーツの被取付け部材であるシフトゲートベース５０に係止爪片１０を正確な位置に、簡単に取付けることができる。後付けパーツ側に設ける爪結合部３０は、底面パネル４０を成形時に同時に成形して設けることができるが、逆に底面パネル４０に係止爪片を設けようとすると、爪係合部をシフトゲートベース５０に設けるために、被取付け面をカット・切削したり、部品を取付けたりする加工作業が必要となり、パーツの取付け作業は複雑なものとなる。
【００２５】
以上シフノブを例に説明したが、本発明の係止爪部材は、ルームランプレンズやディスプレイの周辺飾りなどの各種のカスタマイズ内装部品やその他の後付け部品の取付けに応用することができる。
【符号の説明】
【００２６】
１０  係止爪片
１１  フック部
１２  爪片基部
１３  爪片固定部
２０  連結保持部材
２１  位置決めピン
２２  位置合わせコーナー
３０  爪係合部
３１  爪挿入ガイド
３２  係合舌部
４０  ブーツ底面パネル
４１  シフトノブ
４２  シフトブーツ
４３  シフトレバー
４４  ブーツ固定ネジ
５０  シフトゲートベース
５１  シフトゲート
５２  シフトポジッション表示部
【図１】
2018044618.tif 000003
【図２】
2018044618.tif 000004
【図３】
2018044618.tif 000005
【図４】
2018044618.tif 000006
【図５】
2018044618.tif 000007